(57)【要約】【課題】水道供給設備のない場所でも、水質計器に洗浄水を供給することが可能であり、洗浄開始に即応して所定の圧力で洗浄水を洗浄箇所に送給できる水質計器用給水装置を提供する。【解決手段】試料水を通水して水質を測定する水質計器４に洗浄水を供給する水質計器用給水装置において、洗浄水を貯留する洗浄水タンク１と、洗浄水タンク１の洗浄水を加圧して加圧タンク３に送給する加圧ポンプ２と、加圧タンク３の洗浄水を水質計器４に供給するための洗浄水供給制御弁６とを備え、水質計器４の洗浄開始に応じて洗浄水供給制御弁４を開放し、加圧タンク３の洗浄水を水質計器４に供給する。【選択図】図１
2005241492.tif 000002
【特許請求の範囲】
【請求項１】
試料水を通水して水質を測定する水質計器に前記水質計器の機能を遂行するのに必要な機能用水を供給する水質計器用給水装置において、前記機能用水を貯留する機能用水タンクと、前記機能用水タンクの機能用水を加圧して加圧タンクに送給する加圧ポンプと、前記加圧タンクの機能用水を水質計器に供給するための供給制御弁とを備え、前記洗浄水供給制御弁の開放により、前記加圧タンクの機能用水を水質計器に供給することを特徴とする水質計器用給水供給装置。
【請求項２】
試料水を通水して水質を測定する水質計器に洗浄水を供給する水質計器用給水装置において、洗浄水を貯留する洗浄水タンクと、前記洗浄水タンクの洗浄水を加圧して加圧タンクに送給する加圧ポンプと、水質計器の洗浄開始に応じて開放し前記加圧タンクの洗浄水を水質計器に供給する洗浄水供給制御弁とを備え、水質計器の洗浄終了後に残留する洗浄水を水質計器から前記洗浄水タンクへ戻す洗浄水戻り制御弁を設けたことを特徴とする水質計器用給水装置。
【請求項３】
試料水を通水して水質を測定する水質計器に計器の校正を行うための校正用水を供給する水質計器用給水装置において、校正用水を貯留する校正用水タンクと、前記校正用水タンクの校正用水を加圧して加圧タンクに送給する加圧ポンプと、水質計器に前記加圧タンクの校正用水を供給する供給流路と、水質計器から戻される校正用水を前記校正用水タンクに戻す戻し流路とを備え、前記供給流路を介して前記加圧タンクから水質計器に校正用水を供給し、前記戻し流路を介して前記校正用水タンクに回収することを特徴とする水質計器用給水供給装置。
【請求項４】
試料水を通水して水質を測定する水質計器に水質計器の冷却を行うための冷却水を供給する水質計器用給水装置において、冷却水を貯留する冷却水タンクと、前記冷却水タンクの冷却水を加圧して加圧タンクに送給する加圧ポンプと、水質計器に前記加圧タンクの冷却水を供給する供給流路と、水質計器から戻される冷却水を前記冷却水タンクに戻す戻し流路とを備え、前記供給流路を介して前記加圧タンクから水質計器に冷却水を供給し、前記戻し流路を介して前記冷却水タンクに回収することを特徴とする水質計器用給水装置。
【発明の詳細な説明】
【技術分野】
【０００１】
この発明は、水質計器用給水装置、特に、油臭センサなどのサンプリング形水質計器に水道供給設備のない場所で洗浄水を供給する、タンク・ポンプ等が一体となった洗浄水供給装置に関するものである。
【背景技術】
【０００２】
従来は、洗浄水は上水や中水などの水道設備に頼っている。洗浄水をタンクに貯留し洗浄後の洗浄水を回収することも冷凍食品等の搬送ベルトの洗浄用としては提案されている（例えば、特許文献１参照）。
この従来技術では、洗浄ポンプを洗浄ノズルに連通し、洗浄ポンプによって洗浄ノズルから洗浄水を噴出させて洗浄を行うものであって、洗浄開始に際し、その都度、洗浄ポンプを起動するものである。洗浄開始に即応して所定の圧力で洗浄水を洗浄箇所に送給できるものではなく、水質計器のような精密機器の洗浄には適していない。
【０００３】
【特許文献１】特開平１１−６２９号公報
【発明の開示】
【発明が解決しようとする課題】
【０００４】
この発明は、水道供給設備のない場所でも、水質計器に水質計器の機能を遂行するのに必要な洗浄水等の機能用水を供給することが可能であり、洗浄等の動作開始に即応して所定の圧力で洗浄水等の機能用水を洗浄箇所等の所要箇所に送給できる水質計器用洗浄水供給装置を提供することを目的とする。
【課題を解決するための手段】
【０００５】
この発明に係る水質計器用洗浄水供給装置では、洗浄水等の機能用水を貯留する機能用水タンクと、前記機能用水タンクの機能用水を加圧して加圧タンクに送給する加圧ポンプと、前記加圧タンクの機能用水を水質計器に供給するための供給制御弁とを備え、前記供給制御弁の開放により、前記加圧タンクの機能用水を水質計器に供給するものである。
【発明の効果】
【０００６】
この発明によれば、水道供給設備のない場所でも、水質計器に水質計器の機能を遂行するのに必要な洗浄水等の機能用水を供給することが可能であり、洗浄等の動作開始に即応して所定の圧力で洗浄水等の機能用水を洗浄箇所等の所要箇所に送給できる水質計器用洗浄水供給装置を提供することができる。
【発明を実施するための最良の形態】
【０００７】
実施の形態１．
この発明の実施の形態１を図に基づいて説明する。図１はこの発明の装置の実施の形態１を示す構成図である。
【０００８】
この発明による実施の形態１における装置および配管類は、図１に示すように、洗浄水を貯留する洗浄水タンク１、洗浄水タンク１からの洗浄水を加圧し送出する加圧ポンプ２、加圧ポンプ２から送出される加圧された洗浄水を貯留し水質計器４に洗浄水を圧送して供給する加圧タンク３で構成される。
加圧タンク３からの加圧洗浄水は、洗浄水供給口５を介して水質計器４に供給されるものであり、水質計器４の洗浄動作開始に応動して電磁弁６に開放指令が伝達されることによって、水質計器４の洗浄箇所に洗浄水が所定の圧力で供給される。
【０００９】
水質計器４には、洗浄水戻り口７および排水口８が設けられている。また、水質計器４には、水質測定対象としての試料水を供給する試料水供給口９が設けられている。
洗浄水タンク１の上部には、洗浄水供給口１０が設けられるとともに、オーバーフロー管１１が設けられている。洗浄水タンク１の下部には、タンクドレン管１２が設けられている。そして、洗浄水タンク１には、洗浄水タンク１内における洗浄水の水位を検知し、水位低警報を発し、加圧ポンプ２にインターロック指令を発する水位センサ１３が設けられている。
【００１０】
次に、図１を参照して、この発明による実施の形態１の動作について説明する。
洗浄水は、油臭センサなど水質計器４の洗浄中のみ流通する。洗浄水は、常時洗浄水供給装置より供給される状態にあり、洗浄水が必要でない場合は、水質計器４内のバルブにより通水が停止されている。洗浄時は、水質計器４内のバルブが開き、洗浄水の流通が行なわれる。洗浄水は、加圧タンク３内に加圧された状態で貯留され、そこから供給される。加圧タンク３内の圧力が低下すると、洗浄水供給用加圧ポンプ２が起動し、加圧タンク３に洗浄水を圧送する。その後、加圧タンク３内の水圧が設定圧上限になれば、加圧ポンプ２は停止する。
【００１１】
このように実施の形態１では、水道設備がなくても、水質計器へ洗浄水を供給することができる。また、水質計器の設置に際し、新たに水道設備を敷設する手間や費用を削減するという効果がある。
【００１２】
この発明による実施の形態１によれば、試料水を通水して水質を測定する水質計器４に前記水質計器４の機能を遂行するのに必要な洗浄水等の機能用水を供給する水質計器用給水装置において、洗浄水等の機能用水を貯留する洗浄水タンク１からなる機能用水タンクと、前記洗浄水タンク１からなる機能用水タンクの洗浄水等の機能用水を加圧して加圧タンク３に送給する加圧ポンプ２と、前記加圧タンク３の洗浄水等の機能用水を水質計器４に供給するための洗浄水供給制御弁６からなる供給制御弁とを備え、水質計器の洗浄開始に応じて前記洗浄水供給制御弁６からなる供給制御弁を開放し、前記加圧タンク３の洗浄水等の機能用水を水質計器４に供給するようにしたので、水道供給設備のない場所でも、水質計器に水質計器の機能を遂行するのに必要な洗浄水等の機能用水を供給することが可能であり、洗浄等の動作開始に即応して所定の圧力で洗浄水等の機能用水を洗浄箇所等の所要箇所に送給できる水質計器用給水装置を提供することができる。
【００１３】
実施の形態２．
この発明の実施の形態２を図２に基づいて説明する。図２は実施の形態２における構成を示すブロック図である。
この実施の形態２において、ここで説明する特有の構成以外の構成については、先に説明した実施の形態１における構成と同一の構成内容を具備し同様の作用を奏するものである。図中、同一符号は同一または相当部分を示す。
【００１４】
この実施の形態２では、実施の形態１の洗浄水供給装置に、洗浄水回収機構ＲＳを設けている。洗浄水回収機構ＲＳは、回収タイミングを任意に設定可能であり、水質計器４の洗浄後、ランニングインなどの際に循環する洗浄水を回収し、洗浄水供給装置内の洗浄水の消費量を少なくした。その他の構成は実施の形態１と同じである。
【００１５】
洗浄水回収機構ＲＳでは、水質計器４の油臭センサ洗浄動作時には、電磁弁からなる洗浄水戻り制御弁がＯＮ状態となっていて洗浄水戻り口７からの戻り洗浄水は排水出口へと排出される。水質計器４の油臭センサ洗浄動作が終了すると、電磁弁がＯＦＦ状態となり洗浄水戻り口７からの戻り洗浄水は洗浄水タンク１へ回収される状態となる。したがって、ランニングインなどの際に循環する汚れていない洗浄水は洗浄水タンク１に回収される。
【００１６】
このように実施の形態２では、水道設備がなくても、水質計器へ洗浄水を供給することができる。また、水質計器の設置に際し、新たに水道設備を敷設する手間や費用を削減できるという効果がある。そして、洗浄水の回収による使用量節減により洗浄水補給も頻度が少なくなるため、その手間や費用を削減できるという効果がある。
【００１７】
この発明による実施の形態２によれば、試料水を通水して水質を測定する水質計器に洗浄水を供給する水質計器用給水装置において、洗浄水を貯留する洗浄水タンク１と、前記洗浄水タンク１の洗浄水を加圧して加圧タンク３に送給する加圧ポンプ２と、水質計器４の洗浄開始に応じて開放し前記加圧タンク３の洗浄水を水質計器に供給する洗浄水供給制御弁６とを備え、水質計器４の洗浄開始に応じて開放し前記水質計器４からの戻り洗浄水を排水出口へ排出するとともに、水質計器の洗浄終了に応じて洗浄終了後に残留する洗浄水を水質計器から前記洗浄水タンク１へ戻すように戻り洗浄水の流路を切り換える洗浄水戻り制御弁を有する洗浄水回収機構ＲＳを設けたので、水道供給設備のない場所でも、水質計器に洗浄水を供給することが可能であり、洗浄開始に即応して所定の圧力で洗浄水を洗浄箇所に送給できるとともに、洗浄水の回収により洗浄水使用量の節減を行える水質計器用給水装置を提供することができる。
【００１８】
実施の形態３．
この発明の実施の形態３を図３に基づいて説明する。図３は実施の形態３における構成を示すブロック図である。
この実施の形態３において、ここで説明する特有の構成以外の構成については、先に説明した実施の形態１および実施の形態２における構成と同一の構成内容を具備し同様の作用を奏するものである。図中、同一符号は同一または相当部分を示す。
【００１９】
図３はこの発明の実施の形態３を示す図である。ゼロ水は、油臭センサなど水質計器４のゼロ校正時に必要な校正用水としての無臭水であり、例えば油臭センサでは、センサの応答量をゼロとするために、無臭水を流通する必要がある。
この実施の形態３では、ゼロ水は常時洗浄水供給装置より供給される状態にあり、ゼロ水が必要でない場合は、水質計器４内のバルブにより通水が停止されている。その他の構成は実施の形態２と同じである。
【００２０】
図３において、ゼロ水タンク１には、油臭センサなど水質計器４のゼロ校正時に必要な校正用水としての無臭水からなるゼロ水がゼロ水タンク１へのゼロ水供給口１０から供給されて貯留されている。
ゼロ水タンク１に貯留されているゼロ水は加圧ポンプ２により加圧されて加圧タンク３に送出され、加圧状態で貯留される。加圧タンク３に加圧状態で貯留されているゼロ水はゼロ水供給口５ａを介して水質計器４に常時供給できる状態に維持されており、ゼロ水が必要でない場合は、水質計器４内のバルブにより通水が停止され、校正用水としてのゼロ水を必要とする油臭センサなどのゼロ校正時には、水質計器４内のバルブが開放されて、所定の校正動作が実行される。校正処理後のゼロ水はゼロ水戻り口７ａを介してゼロ水タンク１に戻される。
【００２１】
そして、ゼロ水タンク１に貯留されているゼロ水は、水質計器４の洗浄水として用いることもできる。ゼロ水タンク１に貯留されているゼロ水兼洗浄水により水質計器４の洗浄を行うための構成は、図３には示されていないが、この実施の形態３では、前述のように、実施の形態２と同様の構成を具備しているものであって、図２に示す実施の形態２と同様の構成により水質計器４の洗浄動作を実行することができる。
【００２２】
このように実施の形態３では、水道設備がなくても、水質計器へゼロ水を供給することができる。また、水質計器の設置に際し、新たに水道設備を敷設する手間や費用を削減するという効果がある。また、ゼロ水補給も頻度が少ないため、その手間や費用を削減するという効果がある。
【００２３】
この発明による実施の形態３によれば、試料水を通水して水質を測定する水質計器に計器の校正を行う校正用水としてのゼロ水を供給する水質計器用給水装置において、校正用水としてのゼロ水を貯留するゼロ水タンク１からなる校正用水タンクと、前記ゼロ水タンク１からなる校正用水タンクの校正用水を加圧して加圧タンク３に送給する加圧ポンプ２と、水質計器４に前記加圧タンク３の校正用水を供給するゼロ水供給口５ａを有する供給流路と、水質計器４から戻される校正用水としてのゼロ水を前記ゼロ水タンク１からなる校正用水タンクに戻すゼロ水戻し口７ａを有する戻し流路とを備え、前記ゼロ水供給口５ａを有する供給流路を介して前記加圧タンク３から水質計器４に校正用水としてのゼロ水を供給し、前記ゼロ水戻し口７ａを有する戻し流路を介して前記ゼロ水タンク１からなる校正用水タンクに回収するようにしたので、水道供給設備のない場所でも、水質計器に校正用水を供給することが可能であり、校正用水の回収により校正用水使用量の節減を行える水質計器用給水装置を提供することができる。
【００２４】
実施の形態４．
この発明の実施の形態４を図４に基づいて説明する。図４は実施の形態４における構成を示すブロック図である。
この実施の形態３において、ここで説明する特有の構成以外の構成については、先に説明した実施の形態１から実施の形態３までにおける構成と同一の構成内容を具備し同様の作用を奏するものである。図中、同一符号は同一または相当部分を示す。
【００２５】
図４はこの発明の取水制御の実施の形態４を示す図である。本実施の形態４では、装置内部６に水冷機構を持つ油臭センサなどの装置に、連続で水冷式機構のための冷却水を供給する。冷却水供給装置には、その回収配管に空冷の冷却機１４を設けている。その他の構成は実施の形態３と同じである。
【００２６】
図４において、冷却水タンク１には、水質計器４に供給するための冷却水が冷却水タンク１への冷却水供給口１０から供給されて貯留されている。
冷却水タンク１に貯留されている冷却水は加圧ポンプ２により加圧されて加圧タンク３に送出され、加圧状態で貯留される。加圧タンク３に加圧状態で貯留されている冷却水は冷却水供給口５ｂを介して水質計器４に常時供給できる状態に維持されており、冷却水が必要でない場合は、水質計器４内のバルブにより通水が停止され、冷却水を必要とする場合には、水質計器４内のバルブが開放されて、所定の冷却動作が実行される。
水質計器４の冷却処理を実行した後の冷却水は冷却水戻り口７ｂを介して冷却水タンク１へ戻される。冷却水戻り口７ｂから冷却水タンク１への冷却水流通管路の途中には、冷却機１４が設けられ、冷却処理実行後の冷却水を冷却し、冷却水タンク１に貯留される冷却水を冷却機能の遂行に必要な所定温度に保持する。
【００２７】
そして、冷却水タンク１に貯留されている冷却水は、水質計器４の洗浄水として用いることもできる。冷却水タンク１に貯留されている冷却水兼洗浄水により水質計器４の洗浄を行うための構成は、図４には示されていないが、この実施の形態４では、前述のように、実施の形態３と同様の構成を具備しているものであって、実施の形態３の構成に含まれる図２に示す実施の形態２と同様の構成により水質計器４の洗浄動作を実行することができる。
【００２８】
このように実施の形態４では、水道設備がなくても、装置へ冷却水を供給することができる。また、装置の設置に際し、新たに水道設備を敷設する手間や費用を削減するという効果がある。また、冷却水補給も頻度が少ないため、その手間や費用を削減するという効果がある。
【００２９】
この発明による実施の形態４によれば、試料水を通水して水質を測定する水質計器に水質計器の冷却を行うための冷却水を供給する水質計器用給水装置において、冷却水を貯留する冷却水タンク１と、前記冷却水タンク１の冷却水を加圧して加圧タンク３に送給する加圧ポンプ２と、水質計器４に前記加圧タンク３の冷却水を供給する冷却水供給口５ｂを有する供給流路と、水質計器４から戻される冷却水を前記冷却水タンク１に戻す冷却水戻し口７ｂを有する戻し流路とを備え、前記冷却水供給口５ｂを有する供給流路を介して前記加圧タンク３から水質計器４に冷却水を供給し、前記冷却水戻し口７ｂを有する戻し流路を介して前記冷却水タンク１に回収するようにしたので、水道供給設備のない場所でも、水質計器に冷却水を供給することが可能であり、冷却水の回収により冷却水使用量の節減を行える水質計器用給水装置を提供することができる。
【図面の簡単な説明】
【００３０】
【図１】この発明による実施の形態１における構成を示すブロック図である。
【図２】この発明による実施の形態２における構成を示すブロック図である。
【図３】この発明による実施の形態３における構成を示すブロック図である。
【図４】この発明による実施の形態４における構成を示すブロック図である。
【符号の説明】
【００３１】
１  洗浄水タンク、２  加圧ポンプ、３  加圧タンク、４  水質計器、５  洗浄水供給口、５ａ  ゼロ水供給口、５ｂ  冷却水供給口、６  洗浄水供給制御弁、７  洗浄水戻り口、７ａ  ゼロ水戻り口、７ｂ  冷却水戻り口、９  試料水供給口、１０  洗浄水供給口、１０ａ  ゼロ水供給口、１０ｂ  冷却水供給口、１１  オーバーフロー管、タンクドレン管、１３  水位センサ、１４  冷却機。
【図１】
2005241492.tif 000003
【図２】
2005241492.tif 000004
【図３】
2005241492.tif 000005
【図４】
2005241492.tif 000006